(57)【要約】［課題］  伝搬経路において入力障害が生じた場合でも残存信号を有効に中継できるようにする。［解決手段］  光分岐挿入装置は、トランク側から入力されたトランク側光信号の障害を検出し第１検出結果として出力すると共に、トランク側光信号をトランク側とブランチ側とに分岐して送信するトランク側検出分岐手段と、ブランチ側から挿入されたブランチ側光信号の障害を検出し第２検出結果として出力すると共に、ブランチ側光信号を挿入信号として送信するブランチ側検出手段と、第１検出結果に基づいて透過度合が調整された挿入信号を第１調整信号として出力する挿入信号調整手段と、第２検出結果に基づいて透過度合が調整されたトランク側光信号を第２調整信号として出力するトランク信号調整手段と、第１調整信号と第２調整信号とを合波した光信号をトランク側出力光信号として外部に出力する合波出力手段と、を備える。
2014115517.tif 000002
【特許請求の範囲】
【請求項１】
トランク側から入力されたトランク側光信号の障害を検出し第１検出結果として出力すると共に、前記トランク側光信号をトランク側とブランチ側とに分岐して送信するトランク側検出分岐手段と、
ブランチ側から挿入されたブランチ側光信号の障害を検出し第２検出結果として出力すると共に、前記ブランチ側光信号を挿入信号として送信するブランチ側検出手段と、
前記第１検出結果に基づいて透過度合が調整された前記挿入信号を第１調整信号として出力する挿入信号調整手段と、
前記第２検出結果に基づいて透過度合が調整された前記トランク側光信号を第２調整信号として出力するトランク信号調整手段と、
前記第１調整信号と前記第２調整信号とを合波した光信号をトランク側出力光信号として外部に出力する合波出力手段と
を備えることを特徴とする光分岐挿入装置。
【請求項２】
請求項１に記載の光分岐挿入装置において、
前記トランク信号調整手段は、
前記第２検出結果が前記ブランチ側光信号の障害発生を示していない場合に、前記トランク側光信号のうちの特定の第１波長の信号のみを透過させ、
前記第２検出結果が前記ブランチ側光信号の障害発生を示している場合に、前記トランク側光信号のうちの特定の第２波長の信号を、前記第１波長の信号と共に透過させる
ことを特徴とする光分岐挿入装置。
【請求項３】
請求項２に記載の光分岐挿入装置において、
前記挿入信号調整手段は、
前記第１検出結果が前記トランク側光信号の障害発生を示していない場合に、前記挿入信号のうちの前記第２波長の信号のみを透過させ、
前記第１検出結果が前記トランク側光信号の障害発生を示している場合に、前記挿入信号のうちの前記第１波長の信号を、前記第２波長の信号と共に透過させる
ことを特徴とする光分岐挿入装置。
【請求項４】
請求項１に記載の光分岐挿入装置において、
前記合波出力手段は、さらに、前記トランク側出力光信号のパワーを監視してパワー制御信号を生成し、前記パワー制御信号を前記挿入信号調整手段と前記トランク信号調整手段とに送信する出力監視送信部を有し、
前記挿入信号調整手段と前記トランク信号調整手段は、前記パワー制御信号に基づいてそれぞれの前記調整を行う
ことを特徴とする光分岐挿入装置。
【請求項５】
請求項４に記載の光分岐挿入装置において、
前記挿入信号調整手段は、前記第１検出結果が前記トランク側光信号の障害発生を示している場合にのみ前記パワー制御信号に基づく調整を実行し、
前記トランク信号調整手段は、前記第２検出結果が前記ブランチ側光信号の障害発生を示している場合にのみ前記パワー制御信号に基づく調整を実行する
ことを特徴とする光分岐挿入装置。
【請求項６】
請求項４又は５に記載の光分岐挿入装置において、
前記挿入信号調整手段は、前記第１検出結果が前記トランク側光信号の障害発生を示していない場合に、前記挿入信号のうちの特定の第１波長の信号を遮断し、
前記トランク信号調整手段は、前記第２検出結果が前記ブランチ側光信号の障害発生を示していない場合に、前記トランク側光信号のうちの特定の第２波長の信号を遮断する
ことを特徴とする光分岐挿入装置。
【請求項７】
請求項１乃至６の何れか一つに記載の光分岐挿入装置において、
前記トランク側検出分岐手段は、
前記トランク側光信号を二方向に分岐して送信する第１の光カプラと、
前記第１の光カプラから受信した前記トランク側光信号の障害を検出し、前記第１検出結果として前記挿入信号調整手段に送信する第１の光入力断検出部と、
前記第１の光カプラから受信した前記トランク側光信号を二方向に分岐する第２の光カプラと、
を有することを特徴とする光分岐挿入装置。
【請求項８】
請求項１乃至７の何れか一つに記載の光分岐挿入装置において、
前記ブランチ側検出手段は、
前記ブランチ側光信号を二方向に分岐して送信する第３の光カプラと、
前記第３の光カプラから受信した前記ブランチ側光信号の障害を検出し、前記第２検出結果として前記トランク信号調整手段に送信する第２の光入力断検出部と
を有することを特徴とする光分岐挿入装置。
【請求項９】
トランク側から入力されたトランク側光信号の障害を検出し第１検出結果として出力すると共に、前記トランク側光信号をトランク側とブランチ側とに分岐して送信し、
ブランチ側から挿入されたブランチ側光信号の障害を検出し第２検出結果として出力すると共に、前記ブランチ側光信号を挿入信号として送信し、
前記第１検出結果に基づいて透過度合が調整された前記挿入信号を第１調整信号として出力し、
前記第２検出結果に基づいて透過度合が調整された前記トランク側光信号を第２調整信号として出力し、
前記第１調整信号と前記第２調整信号とを合波した光信号をトランク側出力光信号として外部に出力する
ことを特徴とする光分岐挿入方法。
【請求項１０】
トランク側から入力されたトランク側光信号の障害を検出し第１検出結果として出力すると共に、前記トランク側光信号をトランク側とブランチ側とに分岐して送信するトランク側検出分岐機能と、
ブランチ側から挿入されたブランチ側光信号の障害を検出し第２検出結果として出力すると共に、前記ブランチ側光信号を挿入信号として送信するブランチ側検出機能と、
前記第１検出結果に基づいて透過度合が調整された前記挿入信号を第１調整信号として出力する挿入信号調整機能と、
前記第２検出結果に基づいて透過度合が調整された前記トランク側光信号を第２調整信号として出力するトランク信号調整機能と、
前記第１調整信号と前記第２調整信号とを合波した光信号をトランク側出力光信号として外部に出力する合波出力機能と
をコンピュータに実現させるための光分岐挿入プログラムを記憶する記憶媒体。
【発明の詳細な説明】
【技術分野】
【０００１】
本発明は、光中継装置に関し、特に、光信号に対して特定の波長に応じた分離と混合を行う光分岐挿入装置、光分岐挿入方法、及び記憶媒体に関する。
【背景技術】
【０００２】
近年、インターネットの普及とともに、音声・映像等の大容量コンテンツを扱う国際通信の需要が急激に拡大している。このため、一本の光ファイバケーブルに複数の異なる波長の光信号を同時に乗せる光波長多重通信が、高速かつ大容量の情報通信手段として広く利用されている。【０００３】
特に、国際通信で用いられる海底ケーブルシステムは、深海に敷設され容易に修理することができないため、非常に高い信頼性が要求される。こうした事情から、該システムに介在する多数の中継装置の精度向上及び各々の相互作用についての研究開発が行われている。【０００４】
図１０は、海底ケーブルシステムに介在する、一般的な光分岐挿入装置７００の構成図を示すブロック図である。光分岐挿入装置７００は、光カプラ２００と、光フィルタ４００と、光フィルタ５００と、光カプラ６００と、を備える。光カプラ２００は、外部から入力したトランク側光信号を光分岐挿入装置７００の内部とブランチ側とに分岐出力する。光フィルタ４００は、ブランチ側光信号のうちの特定の光信号（挿入信号）のみを通過させる。光フィルタ５００は、トランク側光信号のうちの特定の光信号（透過信号）のみを通過させる。光カプラ６００は、ブランチ側光信号のうちの特定の光信号（挿入信号）を通過させ、この光信号と光フィルタ５００から出力された光とを合波する。【０００５】
しかしながら、上記構成において、トランク側光信号に入力障害が発生した場合、透過信号は、光分岐挿入装置７００に入力されない。従って、挿入信号のみが後段に伝送されるため、トータルパワーが減少するという不都合が発生する。また、ブランチ側光信号の入力障害が発生した場合、挿入信号は、光分岐挿入装置７００に入力されない。従って、透過信号のみが後段に伝送されるため、トータルパワーが減少するという不都合が発生する。【０００６】
上記問題点に対して、例えば、特許文献１および特許文献２は、光ファイバにて伝搬された後の出力光のトータルパワーを入射光のトータルパワーと同等とさせる技術を記載する。【０００７】
特許文献１の技術では、トランク回線及びブランチ回線から入力した光信号のパワーの合計は、予め設定された閾値と比較される。この比較結果に基づいて、トランク回線からの入力光信号のパワーが制御される。【０００８】
特許文献２の技術では、装置前方の光入力が伝送路障害等の理由により無入力状態となった場合、入力された自然放出光は、通常時の通過光信号と同レベルの出力パワーに調整され、調整された光は補填光として出力される。
【先行技術文献】
【特許文献】
【０００９】
【特許文献１】再公表特許第２００４／０８８８９３号
【特許文献２】特開２００６−６６９４６号公報
【発明の概要】
【発明が解決しようとする課題】
【００１０】
しかしながら、特許文献１の光分岐装置において、トランク回線から入力された光信号のパワーは、予め設定された２つの閾値の範囲内に入力信号のレベルが収まっているか否かに基づいて制御される。従って、上記光分岐装置は、外部に出力されるトータルパワーが変動するという問題と、入出力パワーを波長ごとに調整できないという問題を抱えている。【００１１】
特許文献２に開示された光分岐挿入装置は、全体的な構成が複雑になるという問題と、挿入光信号の入力に障害が生じた場合に通過光信号又は補填光のみが出力されるという問題を抱えている。【００１２】
ここで、一般的な海底ケーブルシステムの光中継装置において、利得一定制御ではなく、回路構成が比較的簡素な励起光一定制御が採用される。従って、入力パワーが低い場合であっても、数段の光中継装置を通過することにより、出力トータルパワーはほぼ元通りになる。【００１３】
このため、特許文献１および特許文献２に記載の技術において、入力障害が発生した場合、１波長当りのパワーが増加する非線形効果によって、伝送特性が劣化する虞がある。入力障害が発生した光信号以外の光信号は、予定値以上に増幅される。すなわち、光ファイバ伝搬後の出力光の強度が入射した光の強度に比例しない現象である「光非線形現象」が生じる。光非線形現象により、受信側は、光信号を正常に受信することができない。
（発明の目的）
本発明は、入力障害が生じた場合でも残存信号を有効に中継することが可能な光分岐挿入装置、光分岐挿入方法、及び記憶媒体を提供することを目的とする。
【課題を解決するための手段】
【００１４】
本発明の光分岐挿入装置は、トランク側から入力されたトランク側光信号の障害を検出し第１検出結果として出力すると共に、前記トランク側光信号をトランク側とブランチ側とに分岐して送信するトランク側検出分岐手段と、ブランチ側から挿入されたブランチ側光信号の障害を検出し第２検出結果として出力すると共に、前記ブランチ側光信号を挿入信号として送信するブランチ側検出手段と、前記第１検出結果に基づいて透過度合が調整された前記挿入信号を第１調整信号として出力する挿入信号調整手段と、前記第２検出結果に基づいて透過度合が調整された前記トランク側光信号を第２調整信号として出力するトランク信号調整手段と、前記第１調整信号と前記第２調整信号とを合波した光信号をトランク側出力光信号として外部に出力する合波出力手段と、を備える。【００１５】
本発明の光分岐挿入方法は、トランク側から入力されたトランク側光信号の障害を検出し第１検出結果として出力すると共に、前記トランク側光信号をトランク側とブランチ側とに分岐して送信し、ブランチ側から挿入されたブランチ側光信号の障害を検出し第２検出結果として出力すると共に、前記ブランチ側光信号を挿入信号として送信し、前記第１検出結果に基づいて透過度合が調整された前記挿入信号を第１調整信号として出力し、前記第２検出結果に基づいて透過度合が調整された前記トランク側光信号を第２調整信号として出力し、前記第１調整信号と前記第２調整信号とを合波した光信号をトランク側出力光信号として外部に出力することを特徴とする。【００１６】
本発明の記憶媒体は、トランク側から入力されたトランク側光信号の障害を検出し第１検出結果として出力すると共に、前記トランク側光信号をトランク側とブランチ側とに分岐して送信するトランク側検出分岐機能と、ブランチ側から挿入されたブランチ側光信号の障害を検出し第２検出結果として出力すると共に、前記ブランチ側光信号を挿入信号として送信するブランチ側検出機能と、前記第１検出結果に基づいて透過度合が調整された前記挿入信号を第１調整信号として出力する挿入信号調整機能と、前記第２検出結果に基づいて透過度合が調整された前記トランク側光信号を第２調整信号として出力するトランク信号調整機能と、前記第１調整信号と前記第２調整信号とを合波した光信号をトランク側出力光信号として外部に出力する合波出力機能と、をコンピュータに実現させるための光分岐挿入プログラムを記憶する。
【発明の効果】
【００１７】
本発明によれば、入力障害が生じた場合でも、残存信号は有効に中継される。
【図面の簡単な説明】
【００１８】
【図１】本発明の第１実施形態にかかる光分岐挿入装置の基本的な構成例を示すブロック図である。
【図２】図１に示された光分岐挿入装置の具体的な構成例を示すブロック図である。
【図３】図１及び図２に示された光分岐挿入装置のネットワーク構成例を示すブロック図である。
【図４】図１及び図２に示された光分岐挿入装置の通常時における光信号の流れを模式的に示した図である。
【図５】図１及び図２に示された光分岐挿入装置の障害発生時における光信号の流れを模式的に示した図である。
【図６】図１及び図２に記載された光分岐挿入装置の動作例を示すフローチャートである。
【図７】本発明の第２実施形態にかかる光分岐挿入装置の基本的な構成例を示すブロック図である。
【図８】図７に示された光分岐挿入装置の具体的な構成例を示すブロック図である。
【図９】図７及び図８に示された光分岐挿入装置の動作例を示すフローチャートである。
【図１０】一般的な光分岐挿入装置の構成を示すブロック図である。
【発明を実施するための形態】
【００１９】
〔第１実施形態〕
本発明にかかる光分岐挿入装置の第１実施形態を、図１乃至図７に基づいて説明する。
（基本的構成）
第１実施形態にかかる光分岐挿入装置７１は、トランク側検出分岐手段２１と、ブランチ側検出手段３１と、挿入信号調整手段４１と、トランク信号調整手段５１と、合波出力手段６１と、を備える。
【００２０】
トランク側検出分岐手段２１は、トランク側から入力されたトランク側光信号の障害を検出し第１検出結果として出力すると共に、トランク側光信号をトランク側とブランチ側とに分岐して出力する。
【００２１】
ブランチ側検出手段３１は、ブランチ側から挿入されたブランチ側光信号の障害を検出し第２検出結果として出力すると共に、ブランチ側光信号を挿入信号として送信する。
【００２２】
挿入信号調整手段４１は、第１検出結果に基づいて透過度合が調整された挿入信号を第１調整信号として出力する。
【００２３】
トランク信号調整手段５１は、第２検出結果に基づいて透過度合が調整されたトランク側光信号を第２調整信号として出力する。
【００２４】
合波出力手段６１は、第１調整信号と第２調整信号とを合波した光信号をトランク側出力光信号として外部に出力する。
【００２５】
トランク信号調整手段５１は、さらに、第２検出結果がブランチ側光信号の障害発生を示していない場合に、トランク側光信号のうちの特定の第１波長の信号のみを透過させる。一方、トランク信号調整手段５１は、第２検出結果がブランチ側光信号の障害発生を示している場合に、トランク側光信号のうちの特定の第２波長の信号を、第１波長の信号と共に透過させる。
【００２６】
挿入信号調整手段４１は、さらに、第１検出結果がトランク側光信号の障害発生を示していない場合に、挿入信号のうちの第２波長の信号のみを透過させる。一方で、挿入信号調整手段４１は、第１検出結果がトランク側光信号の障害発生を示している場合に、挿入信号のうちの第１波長の信号を、第２波長の信号と共に透過させる。
（具体的構成）
続いて、光分岐挿入装置７１の具体的な構成内容を、図２に基づいて説明する。
【００２７】
トランク側検出分岐手段２１は、光カプラ２１Ａと、光カプラ２１Ｂと、光入力断検出回路（光入力断検出部）２１Ｃと、を備える。
【００２８】
光カプラ２１Ａは、トランク側光信号を、分岐・透過する方向と入力障害（本実施形態では、「入力光信号の途絶」を例に挙げる）を検出する方向（光入力断検出回路２１Ｃの方向）とに分岐して送信する。
【００２９】
光カプラ２１Ｂは、光カプラ２１Ａを通過したトランク側光信号を、分岐する方向（ブランチ側）と透過する方向とに分岐して送信する。
【００３０】
光入力断検出回路（光入力断検出部）２１Ｃは、トランク側光信号の入力パワーを監視（モニタ）することにより、トランク側伝搬経路において入力断が検出されたか否かの判定を行う。入力断が検出された場合、光入力断検出回路２１Ｃは、“トランク側入力断情報”（第１検出結果）を、挿入信号調整手段４１に送信する。
【００３１】
ブランチ側検出手段３１は、光カプラ３１Ａと、光入力断検出回路（光入力断検出部）３１Ｂと、を備える。
【００３２】
光カプラ３１Ａは、ブランチ側光信号を、挿入する方向と光入力断を検出する方向（光入力断検出回路３１Ｂの方向）とに分岐して送信する。
【００３３】
光入力断検出回路３１Ｂは、ブランチ側光信号の入力パワーを監視（モニタ）することにより、ブランチ側伝搬経路において入力断が検出されたか否かの判定を行う。入力断が検出された際、光入力断検出回路３１Ｂは、“ブランチ側入力断情報”（第２検出結果）を、トランク信号調整手段５１に送信する。
【００３４】
挿入信号調整手段４１は、光フィルタ４１Ａと、光スイッチ４１Ｂと、光フィルタ４１Ｃと、光スイッチ制御回路（光スイッチ制御部）４１Ｄと、を備える。
【００３５】
光フィルタ４１Ａは、光カプラ３１Ａからのブランチ側光信号（挿入信号）をポート７に入力して特定の光信号（挿入光：特定の第２波長を有する信号）をポート８に出力し、それ以外の光信号（挿入阻止光：特定の第１波長を有する信号）をポート９に出力する。
【００３６】
光スイッチ４１Ｂは、光フィルタ４１Ａからの挿入阻止光の通過・遮断を実施する。
【００３７】
光フィルタ４１Ｃは、光フィルタ４１Ａと同一構成を持つ光フィルタであり、光フィルタ４１Ａに対して逆向きに配置される。
【００３８】
光スイッチ制御回路４１Ｄは、入力断が検出された場合に光入力断検出回路２１Ｃから通知されるトランク側入力断情報を受けて光スイッチ４１ＢをＯＮ状態にする。
【００３９】
上記挿入光は、光フィルタ４１Ａのポート７、８、および光フィルタ４１Ｃのポート１０、１２を介して、挿入信号調整手段４１の外部に出力される。
【００４０】
上記挿入阻止光は、光スイッチ４１ＢがＯＮ状態の場合には光フィルタ４１Ａのポート７、９、および光フィルタ４１Ｃのポート１１、１２を介して挿入信号調整手段４１の外部に出力される。一方、光スイッチ４１ＢがＯＦＦ状態の場合、上記挿入阻止光は、光スイッチ４１Ｂにて遮断されて、挿入信号調整手段４１の外部に出力されない。
【００４１】
光スイッチ制御回路４１Ｄは、光スイッチ４１Ｂに対して光信号の通過・遮断に関するパワー制御信号を送信する。
【００４２】
光入力断検出回路２１Ｃは、入力断が検出された場合に限り、トランク側入力断情報を、光スイッチ制御回路４１Ｄへ通知する。換言すれば、入力断が検出されない場合、光入力断検出回路２１Ｃは、光スイッチ制御回路４１Ｄに対して何ら通知を行わない。従って、入力断が発生していない場合、光スイッチ４１ＢのＯＦＦ状態が維持される。
【００４３】
トランク信号調整手段５１は、光フィルタ５１Ａと、光スイッチ５１Ｂと、光フィルタ５１Ｃと、光スイッチ制御回路（光スイッチ制御部）５１Ｄと、を備える。
【００４４】
光フィルタ５１Ａは、光カプラ２１Ｂからのトランク側光信号をポート１に入力すると共に、特定の光信号（透過光：特定の第１波長を有する信号）をポート２に出力し、それ以外の光信号（透過阻止光：特定の第２波長を有する信号）をポート３に出力する。
【００４５】
光スイッチ５１Ｂは、光フィルタ５１Ａからの透過阻止光の通過・遮断を実施する。
【００４６】
光フィルタ５１Ｃは、光フィルタ５１Ａと同一構成を持つ光フィルタであり、光フィルタ５１Ａに対して逆向きに配置される。
【００４７】
光スイッチ制御回路５１Ｄは、入力断を検出した場合に光入力断検出回路３１Ｂから通知されるブランチ側入力断情報を受けて光スイッチ５１ＢをＯＮ状態にする。
【００４８】
上記透過光は、光フィルタ５１Ａのポート１、２、および光フィルタ５１Ｃのポート４、６を介して、トランク信号調整手段５１の外部に出力される。
【００４９】
上記透過阻止光は、光スイッチ５１ＢがＯＮ状態の場合には光フィルタ５１Ａのポート１、３、および光フィルタ５１Ｃの５、６を介して、トランク信号調整手段５１の外部に出力され、一方、光スイッチ５１ＢがＯＦＦ状態の場合には光スイッチ５１Ｂに遮断されて、トランク信号調整手段５１の外部に出力されない。
【００５０】
光スイッチ制御回路５１Ｄは、光スイッチ５１Ｂに対して光信号の通過・遮断に関するパワー制御信号を送信する。
【００５１】
光入力断検出回路３１Ｂは、入力断が検出された場合に限り、ブランチ側入力断情報を、光スイッチ制御回路５１Ｄへ通知する。換言すれば、入力断が検出されない場合、光入力断検出回路３１Ｂは、光スイッチ制御回路５１Ｄに対して何ら通知を行わない。従って、入力断が発生していない場合、光スイッチ５１ＢのＯＦＦ状態が維持される。
【００５２】
合波出力手段６１は、光フィルタ５１Ｃを通過した光信号と光フィルタ４１Ｃを通過した光信号を入力すると共に、これらを合波して出力する光カプラ６１Ａを備える。
【００５３】
すなわち、光フィルタ５１Ｃは、ポート４から入力する透過光と、ポート５から適宜入力する透過阻止光（透過阻止光の通過は光スイッチ５１ＢがＯＮ状態の場合）とを合波して光カプラ６１Ａへ出力する。
【００５４】
一方、光フィルタ４１Ｃは、ポート１０から入力される挿入光と、ポート１１から適宜入力される挿入阻止光（挿入阻止光の通過は光スイッチ４１ＢがＯＮ状態の場合）とを合波して光カプラ６１Ａへ出力する。
【００５５】
第１実施形態では、上述した通り、光分岐挿入装置７１の構成として、複数の光ファイバを結合・分岐するための機器である光カプラを採用した。すなわち、光カプラ２１Ａは、トランク側光信号を分岐してブランチ側へ出力するという機能を果たす。光カプラ６１Ａは、トランク側光信号の透過信号とブランチ側光信号の挿入信号を合波して出力するという機能を果たす。
【００５６】
また、光スイッチ制御回路４１Ｄは、光入力断検出回路２１Ｃによる入力断の検出結果に基づいて、光スイッチ４１Ｂを制御する。すなわち、トランク側の光信号にかかる透過度合が調整されるので、トランク側において入力断が生じた場合でも、残存信号としての挿入光は有効に伝搬される。
【００５７】
同様に、光スイッチ制御回路５１Ｄは、光入力断検出回路３１Ｂによる入力断の検出結果に基づいて、光スイッチ５１Ｂを制御する。すなわち、トランク側の光信号にかかる透過度合が調整されるので、ブランチ側において入力障害が生じた場合でも、残存信号としての透過光は有効に伝搬される。
（ネットワーク構成）
図３は第１実施形態にかかる光分岐挿入装置７１を含むネットワーク構成を示したものであり、ここでは、便宜的に上り方向と下り方向を定義している。
【００５８】
光分岐挿入装置Ｇとして、上り方向に配置されたＧ−１と下り方向に配置されたＧ−２の構成は、上述した光分岐挿入装置７１と同様である。すなわち、図１及び図２は、光分岐挿入装置Ｇ−１の構成内容を示したものである。従って、ここでは特に、図３の上り方向についてのみ説明し、同構成である下り方向についての説明は省略する。
【００５９】
当該ネットワークは、トランク局としての光端局装置Ａ及びＢと、光増幅器等から成る光中継装置Ｄ、Ｅ、及びＦと、ブランチ局としての光端局装置Ｃと、光分岐挿入装置Ｇと、を備える。
【００６０】
上述の通り、光分岐挿入装置Ｇは、上下方向にそれぞれ、光分岐挿入装置７１と同様の構成から成るＧ−１とＧ−２を有している。また、光端局装置Ｃは、光分岐挿入装置Ｇ−１に対応するブランチ局としてのＣ−１と、光分岐挿入装置Ｇ−２に対応するブランチ局としてのＣ−２と、を有している。
【００６１】
光中継装置Ｄ、Ｅは、上下各方向において、それぞれＤ−１とＤ−２、Ｅ−１とＥ−２を有している。
【００６２】
光中継装置Ｆは、光分岐挿入装置Ｇ−１からの分岐信号を中継するＦ−１と、光端局装置Ｃ−１からの挿入信号を中継するＦ−２と、光分岐挿入装置Ｇ−２からの分岐信号を中継するＦ−４と、光端局装置Ｃ−２からの挿入信号を中継するＦ−３と、を有している。
【００６３】
光端局装置Ａから出力される波長多重光は、光中継装置Ｄ−１を通って光分岐挿入装置Ｇ−１に入力される。ここで、波長多重光は、トランク側とブランチ側とに分岐される。トランク側において、波長多重光のうちの特定波長の信号（透過光）が透過される。また、光分岐挿入装置Ｇ−１において、トランク側の透過信号（透過光）と、ブランチ側からの挿入信号（挿入光）とが合波される。合波された信号は、光中継装置Ｅ−１を経由して対向する光端局装置Ｂへ伝搬される。
（光信号の流れについて）
続いて、上記ネットワーク構成を踏まえ、図４及び図５に基づいて、光分岐挿入装置（海底光分岐挿入装置）Ｇ−１における光信号の流れを説明する。なお、光分岐挿入装置Ｇ−１（光分岐挿入装置７１）の構成部材については、図１及び図２を参照する。
【００６４】
ここでは、まず、図４に基づいて、通常時における光信号の流れを説明する。
【００６５】
図４の（１）に示すように、第１実施形態において、分岐対象の光信号２波（分岐光）とスルー対象の光信号４波（透過光）とを含むトランク側光信号は、光分岐挿入装置Ｇ−１のトランク側検出分岐手段２１に入力される。
【００６６】
トランク側光信号を入力したトランク側検出分岐手段２１は、最初に、図４の（２）に示す通り、分岐光を光カプラ２１Ｂにてブランチ側に出力する。トランク側検出分岐手段２１ではフィルタリングが行われないため透過対象の光信号（透過光）も分岐されるが、対向する光端局装置Ｃで信号終端しないため不都合は生じない。
【００６７】
次に、光分岐挿入装置Ｇ−１のトランク信号調整手段５１は、図４の（３）に示すように、光フィルタ５１Ａ及び光フィルタ５１Ｃを介して必要な信号（透過光）を通過させ、ＯＦＦ状態となっている光スイッチ５１Ｂにより必要のない信号（ここでは分岐光）を遮断する。
【００６８】
続いて、図４の（４）に示すように、挿入対象の光信号２波（挿入光）と短波側信号分及び長波側信号分のパワー補填用のダミー光２波とを含むブランチ側光信号が、光分岐挿入装置Ｇ−１のブランチ側検出手段３１に入力される。
【００６９】
次に、海底光分岐挿入装置Ｇ−１の挿入信号調整手段４１では、図４の（５）に示すように、光フィルタ４１Ａ及び光フィルタ４１Ｃを介して必要な信号（挿入光）を通過させ、ＯＦＦ状態となっている光スイッチ４１Ｂにより必要のない信号（ここではダミー光）を遮断する。すなわち、通常時において必要のないダミー光は、ここで遮断される。
【００７０】
最後に、図４の（６）に示すように、透過信号側の光信号（透過光）と挿入信号側の光信号（挿入光）とが、合波出力手段６２としての光カプラ６１Ａにて合波されると共に出力される。すなわち、所定のパワーを有する光信号が、光分岐挿入装置Ｇ−１から外部に出力される。
【００７１】
次に、図５に基づいて、障害時（光中継装置Ｄ−１の前方障害時）における光信号の流れを説明する。
【００７２】
図５の（１）に示すように、トランク側光信号は、通常時と同様、２波から成る分岐対象の光信号（分岐光）と４波から成る透過対象の光信号（透過光）とを含む光信号である。すなわち、分岐対象の光信号２波（分岐光）とスルー対象の光信号４波（透過光）とを含むトランク側光信号が、光中継装置（海底光中継装置）Ｄ−１前方の障害発生箇所の手前までは伝搬されている。しかしながら、ここでの想定場面では、光中継装置Ｄ−１の前方にてケーブル障害が発生しているため、光中継装置Ｄ−１は後方に自然放出光を出力する。
【００７３】
従って、光分岐挿入装置Ｇ−１のトランク側検出分岐手段２１には、ケーブル障害によって信号成分を失った自然放出光が入力されるため、光カプラ２１Ｂにてブランチ側に出力される分岐信号は、図５の（２）に示すように、信号成分を失った自然放出光となる。
【００７４】
次に、光分岐挿入装置Ｇ−１のトランク信号調整手段５１は、通常時に通過する光信号（図４（３）参照）に代えて、図５の（３）に示すような光フィルタ５１Ａ及び光フィルタ５１Ｃによるフィルタ形状で切り出された自然放出光を出力する。
【００７５】
続いて、図５の（４）に示すように、２波から成る挿入対象の光信号（挿入光）と、短波側信号分と長波側信号分のパワー補填用のダミー光２波とを含むブランチ側光信号が、光分岐挿入装置Ｇ−１のブランチ側検出手段３１に入力される。
【００７６】
次に、光分岐挿入装置Ｇ−１の挿入信号調整手段４２は、図５の（５）に示すように、光フィルタ４１Ａ及び光フィルタ４１Ｃを介して必要な信号（挿入光）を通過させると共に、光スイッチ制御回路４１ＤがＯＮ状態にした光スイッチ４１Ｂを介し、遮断されていた光信号（この場合はダミー光）をパワー補填のための補填光として通過させる。
【００７７】
最後に、図５の（６）に示すように、透過側の自然放出光と、挿入側の光信号及び補填光が、合波出力手段６１としての光カプラ６１Ａによって合波される。すなわち、挿入信号以外の信号成分が失われているが、自然放出光のパワーは、補填光によって補填されている。従って、所定の有意なパワーを有する光信号が光分岐挿入装置Ｇ−１から外部に出力される。
（動作説明）
次に、図１及び図２に示す光分岐挿入装置７１の動作を、図６に示すフローチャートに基づいて説明する。
〔トランク側光信号に基づく動作〕
まず、光カプラ２１Ａは、外部からトランク側光信号を入力する（図６：Ｓ６０１）。光カプラ２１Ａは、トランク側光信号を、光カプラ２１Ｂ側と光入力断検出回路２１Ｃ側の二方向に分岐する（図６：Ｓ６０２）。
【００７８】
光カプラ２１Ｂは、光カプラ２１Ａから受信した光信号を、光フィルタ５１Ａ側とブランチ側の二方向に分岐する（図６：Ｓ６０３）。
【００７９】
光入力断検出回路２１Ｃは、光カプラ２１Ａから受信した光信号に基づいて、トランク側の伝搬経路で入力断が発生しているか否かを判定する（図６：Ｓ６０４）。
【００８０】
入力断が発生している場合（図６：Ｓ６０４／はい）、光入力断検出回路２１Ｃは、トランク側入力断情報を、光スイッチ制御回路４１Ｄに送信する（図６：Ｓ６０５）。
【００８１】
このトランク側入力断情報を受信した光スイッチ制御回路４１Ｄは、光スイッチ４１ＢをＯＮ状態にする（図６：Ｓ６０６）。
【００８２】
一方、入力断が発生していない場合（図６：Ｓ６０４／いいえ）、光スイッチ４１Ｂは、ＯＦＦ状態のままである。
〔ブランチ側光信号に基づく動作〕
ブランチ側から、挿入対象の光信号がダミー光と共に光カプラ３１Ａに入力される（図６：Ｓ６０７）。光カプラ３１Ａは、入力された光信号を、光フィルタ４１Ａ側と光入力断検出回路３１Ｂ側の二方向に分岐する（図６：Ｓ６０８）。
【００８３】
光入力断検出回路３１Ｂは、光カプラ３１Ａから受信した光信号に基づいて、ブランチ側の伝搬経路で入力断が発生しているか否かを判定する（図６：Ｓ６０９）。
【００８４】
入力断が発生している場合（図６：Ｓ６０９／はい）、光入力断検出回路３１Ｂは、ブランチ側入力断情報を、光スイッチ制御回路５１Ｄに送信する（図６：Ｓ６１０）。
【００８５】
このブランチ側入力断情報を受信した光スイッチ制御回路５１Ｄは、光スイッチ５１ＢをＯＮ状態にする（図６：Ｓ６１１）。
【００８６】
一方、入力断が発生していない場合（図６：Ｓ６０９／いいえ）、光スイッチ５１Ｂは、ＯＦＦ状態のままである。
〔調整された透過度合に基づく光信号の透過処理〕
光フィルタ５１Ａは、光カプラ２１Ｂから受信した光信号（図６：Ｓ６０３、Ｓ６０９〜Ｓ６１１）を、光フィルタ５１Ｃに送信する（図６：Ｓ６１２）。
【００８７】
具体的には、光入力断検出回路３１Ｂによって入力断が検出された場合（図６：Ｓ６０９／はい）、光スイッチ制御回路５１Ｄは、光スイッチ５１ＢをＯＮ状態にする。従って、光フィルタ５１Ｃには、透過光と共に、光スイッチ５１Ｂを通じてブランチ側の光信号を補填するための透過阻止光が送信される。
【００８８】
一方、光入力断検出回路３１Ｂによって入力断が検出されない場合（図６：Ｓ６０９／いいえ）、光スイッチ５１Ｂは、ＯＦＦ状態のままである。従って、光フィルタ５１Ｃには、透過光のみが送信される。
【００８９】
同様に、光フィルタ４１Ａは、光カプラ３１Ａから受信した光信号（図６：Ｓ６０８、Ｓ６０４〜Ｓ６０６）を、光フィルタ４１Ｃに送信する（図６：Ｓ６１３）。
【００９０】
具体的には、光入力断検出回路２１Ｃによって入力断が検出された場合（図６：Ｓ６０４／はい）、光スイッチ制御回路４１Ｄは、光スイッチ５１ＢをＯＮ状態にする。従って、光フィルタ４１Ｃには、挿入光と共に、光スイッチ４１Ｂを通じてトランク側の光信号を補填するための挿入阻止光（補填光）が送信される（図６：Ｓ６１３）。
【００９１】
一方で、光入力断検出回路２１Ｃによって入力断が検出されない場合（図６：Ｓ６０４／いいえ）、光スイッチ４１Ｂは、ＯＦＦ状態のままである。従って、光フィルタ４１Ｃには、挿入光のみが送信される（図６：Ｓ６１３）。
【００９２】
光カプラ６１Ａは、光フィルタ５１Ｃと光フィルタ４１Ｃのそれぞれから受信した光信号を合波し、合波された信号を外部へ送信する（図６：Ｓ６１４）。
【００９３】
上記の動作説明は、便宜上、図６に付した番号順（Ｓ６０１〜Ｓ６１４）に従って行ったが、第１実施形態にかかる光分岐挿入装置７１の動作内容は、当該順序に限定されるものではない。
【００９４】
また、上記各ステップＳ６０１〜Ｓ６１４（図６）における各工程の実行内容をプログラム化すると共に、この一連の各制御プログラムをコンピュータ（例えば、論理デバイスやＣＰＵ（Central Processing Unit）等を含む）によって実現するように構成してもよい。
【００９５】
また、上記プログラムは、例えば、フレキシブルディスク、ＣＤ−ＲＯＭ（Ｃｏｍｐａｃｔ  Ｄｉｓｋ  Ｒｅａｄ−Ｏｎｌｙ  Ｍｅｍｏｒｙ）、ＭＯ（Ｍａｇｎｅｔｏ−Ｏｐｔｉｃａｌ  ｄｉｓｋ）などのコンピュータ読取可能な非一時的な記録媒体に格納して配布され、或いはネットワークを介して配信される。
（第１実施形態の効果）
第１実施形態にかかる光分岐挿入装置７１において、光カプラ２１Ｂ、６１Ａ及び光フィルタ４１Ａ、４１Ｃ、５１Ａ、５１Ｃ等によって、トランク側光信号の分岐と透過、及びブランチ側光信号の挿入が行われる。従って、海底ケーブルシステムにおいて、ＯＡＤＭ（Ｏｐｔｉｃａｌ  Ａｄｄ／Ｄｒｏｐ  Ｍｕｌｔｉｐｌｅｘｅｒ）機能を実行することができる。
【００９６】
また、トランク側光信号の入力障害を検出した際、光スイッチ４１Ｂの状態は、ＯＦＦからＯＮへと切り替わる。従って、ブランチ側光信号で遮断していた光信号（挿入阻止光）は、消失した光信号（透過光）の補填光として出力される。よって、入力障害に起因する、挿入信号のパワー変動は抑止される。
【００９７】
さらに、ブランチ側光信号の入力障害を検出した際、光スイッチ５１Ｂの状態は、ＯＦＦからＯＮへと切り替わる。従って、トランク側光信号で遮断していた光信号（透過阻止光）は、消失した光信号（挿入光）の補填光として出力される。よって、入力障害に起因する透過信号のパワー変動は抑止される。
【００９８】
すなわち、光分岐挿入装置７１において、光スイッチ４１Ｂを制御する光スイッチ制御回路４１Ｄは、トランク側光信号の光入力断を検出する光入力断検出回路２１Ｃの検出結果に基づいて動作する。さらに、光スイッチ５１Ｂを制御する光スイッチ制御回路５１Ｄは、ブランチ側光信号の光入力断を検出する光入力断検出回路３１Ｂの検出結果に基づいて動作する。
【００９９】
これらの動作により、光信号のトータルパワーの初期レベルが維持される。結果として、入力障害に起因する残存した光信号のパワー変動は抑止される。
〔第２実施形態〕
本発明の第２実施形態にかかる光分岐挿入装置を、図７及び図８に基づいて説明する。
【０１００】
ここでの光分岐挿入装置は、前述した光分岐挿入装置７１の基本的構成をもとにして成されたものであり、通常時とケーブル障害時のトランク側光信号の出力パワーを一定にするための制御にかかる構成内容に特徴を有する。ここで、前述した第１実施形態と同一の構成部材については、同一の符号を用いるものとする。
（基本的構成）
第２実施形態にかかる光分岐挿入装置７２は、トランク側検出分岐手段２２と、ブランチ側検出手段３２と、挿入信号調整手段４２と、トランク信号調整手段５２と、合波出力手段６２と、を備える。
【０１０１】
トランク側検出分岐手段２２は、トランク側から入力された光信号（トランク側光信号）の障害を検出すると共に、この入力信号をトランク側とブランチ側とに分岐して出力する。
【０１０２】
ブランチ側検出手段３２は、ブランチ側から挿入された光信号の障害を検出すると共に、この挿入信号を送信する。
【０１０３】
挿入信号調整手段４２は、トランク側検出分岐手段２２による検出結果に基づいて、ブランチ側検出手段３２から受信した挿入信号にかかる透過度合を調整する。
【０１０４】
トランク信号調整手段５２は、ブランチ側検出手段３２による検出結果に基づいて、トランク側検出分岐手段２２から受信したトランク側光信号にかかる透過度合を調整する。
【０１０５】
合波出力手段６２は、挿入信号調整手段４２及びトランク信号調整手段５２にて調整された各信号を受信すると共に、これらを合波して外部に出力する。
【０１０６】
合波出力手段６２は、さらに、外部に出力する光信号のパワーを監視すると共に、この監視に基づくパワー制御信号を挿入信号調整手段４２とトランク信号調整手段５２とに送信する機能（出力監視送信部）を有する。
【０１０７】
挿入信号調整手段４２およびトランク信号調整手段５２は、上記パワー制御信号に基づいて上記調整を行う。
【０１０８】
さらに、挿入信号調整手段４２は、トランク側検出分岐手段２２にて障害を検出した場合にのみ上記パワー制御信号に基づく調整を実行する。トランク信号調整手段５２は、ブランチ側検出手段３２にて障害を検出した場合にのみ上記パワー制御信号に基づく調整を実行する。
【０１０９】
また、挿入信号調整手段４２は、トランク側検出分岐手段２２が障害を検出しなかった場合に、上記挿入信号のうちから特定の第１波長を有する信号を遮断する。トランク信号調整手段５２は、ブランチ側検出手段３２が障害を検出しなかった場合に、上記トランク側光信号のうちから特定の第２波長を有する信号を遮断する。
（具体的構成）
ここでは、光分岐挿入装置７２にかかる構成部材のうち、前述した第１実施形態にかかる光分岐挿入装置７１での構成部材とは異なるもの等について、図８に基づく説明を行う。
【０１１０】
第２実施形態において、第１実施形態において特定の光信号の遮断又は通過を実施するために用いた光スイッチは、光信号を適切な信号レベルに減衰する光減衰器（ＡＴＴ：Attenuator）に置き換わる。
【０１１１】
具体的には、図２の光スイッチ５１Ｂは、図８において、光フィルタ５１Ａからの透過阻止光の通過・遮断を実施する光減衰器（ＡＴＴ）５２Ｂに置き換わる。また、図２の光スイッチ４１Ｂは、光フィルタ４１Ａからの挿入阻止光の通過・遮断を実施する光減衰器（ＡＴＴ）４２Ｂに置き換わる。
【０１１２】
また、図２の光スイッチ制御回路４１Ｄは、図８において、光減衰器４２Ｂの挿入損失を制御する光ＡＴＴ制御回路（光ＡＴＴ制御部）４２Ｄに置き換わる。また、図２の光スイッチ制御回路５１Ｄは、図８において、光減衰器５２Ｂの挿入損失を制御する光ＡＴＴ制御回路（光ＡＴＴ制御部）５２Ｄに置き換わる。
【０１１３】
光減衰器５２Ｂは、挿入損失が小さい場合、透過阻止光を光フィルタ５１Ｃへ出力する。光減衰器４２Ｂは、挿入損失が小さい場合、挿入阻止光を光フィルタ４１Ｃへ出力する。
【０１１４】
さらに、光分岐挿入装置７２は、光出力パワーモニタ（出力監視送信部）６２Ｂと、光カプラ６２Ａと、を備える。
【０１１５】
光出力パワーモニタ６２Ｂは、トランク側光信号出力の光パワーをモニタすると共に、これに基づくパワー制御信号（監視信号）を光ＡＴＴ制御回路４２Ｄと光ＡＴＴ制御回路５２Ｄとに適宜送信する。
【０１１６】
光カプラ６２Ａは、光フィルタ５１Ｃを通過した光信号と光フィルタ４１Ｃを通過した光信号を合波すると共に、出力方向と光出力パワーモニタ６２Ｂの方向とに分岐する。
【０１１７】
光入力断検出回路（光入力断検出部）２２Ｃは、トランク側光信号の入力パワーを監視（モニタ）して入力断が生じたか否かの判定を行う。入力断を検出した場合、光入力断検出回路２２Ｃは、光ＡＴＴ制御回路４２Ｄおよび光出力パワーモニタ６２Ｂに対して、“トランク側入力断情報”を通知する。
【０１１８】
光入力断検出回路（光入力断検出部）３２Ｂは、ブランチ側光信号の入力パワーを監視（モニタ）することにより、入力断が生じたか否かの判定を行う。入力断を検出した場合、光入力断検出回路３２Ｂは、光ＡＴＴ制御回路５２Ｄおよび光出力パワーモニタ６２Ｂに対して、“ブランチ側入力断情報”を通知する。
【０１１９】
光入力断検出回路２２Ｃからトランク側入力断情報の通知がない場合、光ＡＴＴ制御回路４２Ｄは、光減衰器４２Ｂの挿入損失を最大にして光信号を遮断することを優先し、光出力パワーモニタ６２Ｂからのパワー制御信号に基づく制御を行わない（パワー制御信号を無視する）。
【０１２０】
一方、光入力断検出回路２２Ｃからトランク側入力断情報の通知があった場合、光ＡＴＴ制御回路４２Ｄは、光出力パワーモニタ６２Ｂからのパワー制御信号によってトランク側光信号出力の光パワーが一定になるように光減衰器４２Ｂの挿入損失を調整する。
【０１２１】
光入力断検出回路３２Ｂからブランチ側入力断情報の通知がない場合、光ＡＴＴ制御回路５２Ｄは、光減衰器５２Ｂの挿入損失を最大にして光信号を遮断することを優先し、光出力パワーモニタ６２Ｂからのパワー制御信号に基づく制御を行わない（パワー制御信号を無視する）。
【０１２２】
一方、光入力断検出回路３２Ｂからブランチ側入力断情報の通知があった場合、光ＡＴＴ制御回路５２Ｄは、光出力パワーモニタ６２Ｂからのパワー制御信号によってトランク側光信号出力の光パワーが一定になるように光減衰器５２Ｂの挿入損失を調整する。
【０１２３】
光入力断検出回路２２Ｃからトランク側入力断情報の通知があった場合、光出力パワーモニタ６２Ｂは、光出力パワーが一定になるように光ＡＴＴ制御回路４２Ｄにパワー制御信号を送信する。一方、トランク側入力断情報の通知がない場合、パワー制御信号は送信されない。
【０１２４】
また、光入力断検出回路３２Ｂからブランチ側入力断情報の通知があった場合、光出力パワーモニタ６２Ｂは、光出力パワーが一定になるように光ＡＴＴ制御回路５２Ｄにパワー制御信号を送信する。一方、ブランチ側入力断情報の通知がない場合、パワー制御信号は送信されない。
【０１２５】
さらに、光入力断検出回路２２Ｃおよび光入力断検出回路３２Ｂの双方から入力断通知がある場合、光出力パワーモニタ６２Ｂは、光ＡＴＴ制御回路４２Ｄ及び５２Ｄに対して、パワー制御信号を送信しない。
【０１２６】
光フィルタ５１Ｃは、光フィルタ５１Ａと同一構成を持つ光フィルタであり、光フィルタ５１Ａに対して逆向きに配置される。光フィルタ５１Ｃは、透過光と透過阻止光（透過阻止光の通過は光減衰器５２Ｂの挿入損失が小さい場合）を合波して光カプラ６２Ａへ出力する。
【０１２７】
光フィルタ４１Ｃは、光フィルタ４１Ａと同一構成を持つ光フィルタであり、光フィルタ４１Ａに対して逆向きに配置される。光フィルタ４１Ｃは、挿入光と挿入阻止光（挿入阻止光の通過は光減衰器４２Ｂの挿入損失が小さい場合）を合波して光カプラ６２Ａへ出力する。
【０１２８】
ここで、光入力断検出回路２２Ｃによる入力断の検出結果に基づいて、光ＡＴＴ制御回路４２ＤはＡＴＴ４２Ｂを制御する。これにより、トランク側の光信号にかかる透過度合を調整することができるため、トランク側に入力断が生じた場合でも、残存信号としての挿入光は有効に伝搬される。
【０１２９】
同様に、光入力断検出回路３２Ｂによる入力断の検出結果に基づいて、光スイッチ制御回路５２ＤはＡＴＴ５２Ｂを制御する。これにより、トランク側の光信号にかかる透過度合を調整することができるため、ブランチ側に入力障害が生じた場合でも、残存信号としての透過光は有効に伝搬される。
【０１３０】
また、「ネットワーク構成」及び「光信号の流れ」は、前述した第１実施形態において図３乃至図５を参照して説明した内容と同様である。
（動作説明）
次に、図７及び図８に示す光分岐挿入装置７２の動作を、図９のフローチャートに基づいて説明する。
〔トランク側光信号に基づく動作〕
まず、光カプラ２１Ａは、外部からトランク側光信号を入力する（図９：Ｓ９０１）。光カプラ２１Ａは、トランク側光信号を光カプラ２１Ｂ側と光入力断検出回路２２Ｃ側の二方向に分岐する（図９：Ｓ９０２）。
【０１３１】
光カプラ２１Ｂは、光カプラ２１Ａから受信した光信号を、光フィルタ５１Ａ側とブランチ側の二方向に分岐する（図９：Ｓ９０３）。
【０１３２】
光入力断検出回路２２Ｃは、光カプラ２１Ａから受信した光信号に基づいて、トランク側の伝搬経路で入力断が発生しているか否かを判定する（図９：Ｓ９０４）。
【０１３３】
入力断が発生していない場合（図９：Ｓ９０４／いいえ）、光ＡＴＴ制御回路４２Ｄは、光出力パワーモニタ６２Ｂからのパワー制御信号の有無にかかわらず、ＡＴＴ４２Ｂの挿入損失が最大になるように制御し光信号を遮断する（図９：Ｓ９０５）。
【０１３４】
入力断が発生している場合（図９：Ｓ９０４／はい）、光入力断検出回路２２Ｃは、トランク側入力断情報を、光ＡＴＴ制御回路４２Ｄに送信する（図９：Ｓ９０６）。
【０１３５】
このトランク側入力断情報を受信した光ＡＴＴ制御回路４２Ｄは、光出力パワーモニタ６２Ｂから受信したパワー制御信号に基づいて、ＡＴＴ４２Ｂの挿入損失が小さくなるように制御（調整）する（図９：Ｓ９０７）。
〔ブランチ側光信号に基づく動作〕
ブランチ側から挿入対象の光信号が、ダミー光と共に光カプラ３１Ａに入力される（図９：Ｓ９０８）。光カプラ３１Ａは、入力された光信号を、光フィルタ４１Ａ側と光入力断検出回路３２Ｂ側の二方向に分岐する（図９：Ｓ９０９）。
【０１３６】
光入力断検出回路３２Ｂは、光カプラ３１Ａから受信した光信号に基づいて、ブランチ側の伝搬経路で入力断が発生しているか否かを判定する（図９：Ｓ９１０）。
【０１３７】
入力断が発生していない場合（図９：Ｓ９１０／いいえ）、光ＡＴＴ制御回路５２Ｄは、光出力パワーモニタ６２Ｂからのパワー制御信号の有無にかかわらず、ＡＴＴ５２Ｂの挿入損失が最大になるように制御し光信号を遮断する（図９：Ｓ９１１）。
【０１３８】
一方、入力断が発生している場合（図９：Ｓ９１０／はい）、光入力断検出回路３２Ｂは、ブランチ側入力断情報を、光ＡＴＴ制御回路５２Ｄに送信する（図９：Ｓ９１２）。
【０１３９】
このブランチ側入力断情報を受信した光ＡＴＴ制御回路５２Ｄは、光出力パワーモニタ６２Ｂから受信したパワー制御信号に基づいて、ＡＴＴ４２Ｂの挿入損失が小さくなるように制御（調整）する（図９：Ｓ９１３）。
〔調整された透過度合に基づく光信号の透過処理〕
光フィルタ５１Ａは、光カプラ２１Ｂから受信した光信号（図９：Ｓ９０３、Ｓ９１０〜Ｓ９１３）を、光フィルタ５１Ｃに送信する（図９：Ｓ９１４）。
【０１４０】
具体的には、光入力断検出回路３２Ｂによって入力断が検出された場合（図９：Ｓ９１０／はい）、光ＡＴＴ制御回路５２Ｄは、ＡＴＴ５２Ｂの挿入損失が小さくなるように制御（調整）する。従って、光フィルタ５１Ｃには、透過光と共に、ＡＴＴ５２Ｂを通じてブランチ側の光信号を補填するための透過阻止光が送信される。
【０１４１】
一方、光入力断検出回路３２Ｂによって入力断が検出されない場合（図９：Ｓ９１０／いいえ）、光ＡＴＴ制御回路５２Ｄは、ＡＴＴ５２Ｂの挿入損失が最大になるように制御する。従って、透過阻止光が遮断され、光フィルタ５１Ｃには透過光のみが送信される。
【０１４２】
同様に、光フィルタ４１Ａは、光カプラ３１Ａから受信した光信号（図９：Ｓ９０９、Ｓ９０４〜Ｓ９０７）を、光フィルタ４１Ｃに送信する（図９：Ｓ９１５）。
【０１４３】
具体的には、光入力断検出回路２２Ｃによって入力断が検出された場合（図９：Ｓ９０４／はい）、光ＡＴＴ制御回路４２Ｄは、ＡＴＴ４２Ｂの挿入損失が小さくなるように制御（調整）する。従って、光フィルタ４１Ｃには、挿入光と共に、ＡＴＴ４２Ｂを通じてトランク側の光信号を補填するための挿入阻止光（補填光：ダミー光）が送信される。
【０１４４】
一方、光入力断検出回路２２Ｃによって入力断が検出されない場合（図９：Ｓ９０４／いいえ）、光ＡＴＴ制御回路４２Ｄは、ＡＴＴ４２Ｂの挿入損失が最大になるように制御する。従って、挿入阻止光（補填光）が遮断され、光フィルタ４１Ｃには挿入光のみが送信される。
【０１４５】
光カプラ６２Ａは、光フィルタ５１Ｃと光フィルタ４１Ｃのそれぞれから受信した光信号を合波し、合波された信号を外部へ送信する（図９：Ｓ９１６）。
【０１４６】
上記の動作説明は、便宜上、図９に付した番号順（Ｓ９０１〜Ｓ９１６）に従って行ったが、第２実施形態にかかる光分岐挿入装置７２の動作内容は、当該順序に限定されるものではない。
【０１４７】
また、上記各ステップＳ９０１〜Ｓ９１６（図９）における各工程の実行内容をプログラム化すると共に、この一連の各制御プログラムをコンピュータ（例えば、論理デバイスやＣＰＵ等を含む）によって実現するように構成してもよい。
【０１４８】
また、上記プログラムは、例えば、フレキシブルディスク、ＣＤ−ＲＯＭ、ＭＯなどのコンピュータ読取可能な非一時的な記録媒体に格納して配布され、或いはネットワークを介して配信される。
（第２実施形態の効果）
第２実施形態にかかる光分岐挿入装置７２において、光スイッチ４１Ｂ、５１Ｂは、それぞれに、光減衰器（ＡＴＴ）４２Ｂ、５２Ｂに置き換わる。光ＡＴＴ制御回路４２Ｄ及び５２Ｄは、光出力パワーモニタ６２Ｂから適宜送信されるパワー制御信号と光入力断検出回路２２Ｃ及び３２Ｂから適宜通知される各入力断情報とに基づいて、光減衰器（ＡＴＴ）４２Ｂ、５２Ｂの挿入損失を制御（調整）する。
【０１４９】
このため、光分岐挿入装置７２によれば、トランク側の伝搬経路とブランチ側の伝搬経路の何れか一方又は双方において入力障害が発生したような場合でも、入出力信号間のトータルパワーを精度よく調整し初期レベルを維持することができる。これにより、送信すべき残存信号を有効に中継することが可能となる。
【０１５０】
従って、入力障害に起因する残存した光信号のパワー変動を抑止する光分岐挿入装置７２を、海底ケーブルシステム等に採用することにより、入力障害が発生した場合でも、残存した有意な光信号を後続経路において有効に伝搬することが可能となる。
【０１５１】
なお、上述した実施形態は、光分岐挿入装置、光分岐挿入方法、及び記憶媒体における好適な具体例であり、技術的に好ましい種々の限定を付している場合もある。しかし、本発明の技術範囲は、特に本発明を限定する記載がない限り、これらの態様に限定されるものではない。
【０１５２】
以下は、上述した実施形態についての新規な技術的内容の要点をまとめたものであるが、本発明は必ずしもこれに限定されるものではない。
（付記１）
トランク側から入力されたトランク側光信号の障害を検出し第１検出結果として出力すると共に、前記トランク側光信号をトランク側とブランチ側とに分岐して送信するトランク側検出分岐手段と、
ブランチ側から挿入されたブランチ側光信号の障害を検出し第２検出結果として出力すると共に、前記ブランチ側光信号を挿入信号として送信するブランチ側検出手段と、
前記第１検出結果に基づいて透過度合が調整された前記挿入信号を第１調整信号として出力する挿入信号調整手段と、
前記第２検出結果に基づいて透過度合が調整された前記トランク側光信号を第２調整信号として出力するトランク信号調整手段と、
前記第１調整信号と前記第２調整信号とを合波した光信号をトランク側出力光信号として外部に出力する合波出力手段と
を備えることを特徴とする光分岐挿入装置。
（付記２）
付記１に記載の光分岐挿入装置において、
前記トランク信号調整手段は、
前記第２検出結果が前記ブランチ側光信号の障害発生を示していない場合に、前記トランク側光信号のうちの特定の第１波長の信号のみを透過させ、
前記第２検出結果が前記ブランチ側光信号の障害発生を示している場合に、前記トランク側光信号のうちの特定の第２波長の信号を、前記第１波長の信号と共に透過させる
ことを特徴とする光分岐挿入装置。
（付記３）
付記２に記載の光分岐挿入装置において、
前記挿入信号調整手段は、
前記第１検出結果が前記トランク側光信号の障害発生を示していない場合に、前記挿入信号のうちの前記第２波長の信号のみを透過させ、
前記第１検出結果が前記トランク側光信号の障害発生を示している場合に、前記挿入信号のうちの前記第１波長の信号を、前記第２波長の信号と共に透過させる
ことを特徴とする光分岐挿入装置。
（付記４）
付記１乃至３の何れか一つに記載の光分岐挿入装置において、
前記挿入信号調整手段は、
１入力２出力である第１の光フィルタと、光信号の透過又は遮断を行う第１の光スイッチと、２入力１出力である第２の光フィルタと、前記第１の光スイッチを前記第１検出結果に基づいて制御する第１の光スイッチ制御部と、
を有することを特徴とする光分岐挿入装置。
（付記５）
付記１乃至３の何れか一つに記載の光分岐挿入装置において、
前記トランク信号調整手段は、
１入力２出力である第３の光フィルタと、光信号の透過又は遮断を行う第２の光スイッチと、２入力１出力である第４の光フィルタと、前記第２の光スイッチを前記第２検出結果に基づいて制御する第２の光スイッチ制御部と、
を有することを特徴とする光分岐挿入装置。
（付記６）
付記１に記載の光分岐挿入装置において、
前記合波出力手段は、さらに、前記トランク側出力光信号のパワーを監視してパワー制御信号を生成し、前記パワー制御信号を前記挿入信号調整手段と前記トランク信号調整手段とに送信する出力監視送信部を有し、
前記挿入信号調整手段と前記トランク信号調整手段は、前記パワー制御信号に基づいてそれぞれの前記調整を行う
ことを特徴とする光分岐挿入装置。
（付記７）
付記６に記載の光分岐挿入装置において、
前記挿入信号調整手段は、第１検出結果が前記トランク側光信号の障害発生を示している場合にのみ前記パワー制御信号に基づく調整を実行し、
前記トランク信号調整手段は、前記第２検出結果が前記ブランチ側光信号の障害発生を示している場合にのみ前記パワー制御信号に基づく調整を実行する
ことを特徴とする光分岐挿入装置。
（付記８）
付記６又は７に記載の光分岐挿入装置において、
前記挿入信号調整手段は、前記第１検出結果が前記トランク側光信号の障害発生を示していない場合に、前記挿入信号のうちの特定の第１波長の信号を遮断し、
前記トランク信号調整手段は、前記第２検出結果が前記ブランチ側光信号の障害発生を示していない場合に、前記トランク側光信号のうちの特定の第２波長の信号を遮断する
ことを特徴とする光分岐挿入装置。
（付記９）
付記６乃至８の何れか一つに記載の光分岐挿入装置において、
前記挿入信号調整手段は、
１入力２出力である第１の光フィルタと、光信号を減衰させる第１の光減衰器と、
２入力１出力である第２の光フィルタと、前記第１の光減衰器を前記第１検出結果に基づいて制御する第１の光減衰器制御部と
を有することを特徴とする光分岐挿入装置。
（付記１０）
付記６乃至９の何れか一つに記載の光分岐挿入装置において、
前記トランク信号調整手段は、
１入力２出力である第３の光フィルタと、光信号を減衰させる第２の光減衰器と、
２入力１出力である第４の光フィルタと、前記第２の光減衰器を前記第２検出結果に基づいて制御する第２の光減衰器制御部と
を有することを特徴とする光分岐挿入装置。
（付記１１）
付記１乃至１０の何れか一つに記載の光分岐挿入装置において、
前記トランク側検出分岐手段は、
前記トランク側光信号を二方向に分岐して送信する第１の光カプラと、
前記第１の光カプラから受信した前記トランク側光信号の障害を検出し、前記第１検出結果として前記挿入信号調整手段に送信する第１の光入力断検出部と、
前記第１の光カプラから受信した前記トランク側光信号を二方向に分岐する第２の光カプラと、
を有することを特徴とする光分岐挿入装置。
（付記１２）
付記１乃至１１の何れか一つに記載の光分岐挿入装置において、
前記ブランチ側検出手段は、
前記ブランチ側光信号を二方向に分岐して送信する第３の光カプラと、
前記第３の光カプラから受信した前記ブランチ側光信号の障害を検出し、前記第２検出結果として前記トランク信号調整手段に送信する第２の光入力断検出部と
を有することを特徴とする光分岐挿入装置。
（付記１３）
トランク側から入力されたトランク側光信号の障害を検出し第１検出結果として出力すると共に、前記トランク側光信号をトランク側とブランチ側とに分岐して送信し、
ブランチ側から挿入されたブランチ側光信号の障害を検出し第２検出結果として出力すると共に、前記ブランチ側光信号を挿入信号として送信し、
前記第１検出結果に基づいて透過度合が調整された前記挿入信号を第１調整信号として出力し、
前記第２検出結果に基づいて透過度合が調整された前記トランク側光信号を第２調整信号として出力し、
前記第１調整信号と前記第２調整信号とを合波した光信号をトランク側出力光信号として外部に出力する
ことを特徴とする光分岐挿入方法。
（付記１４）
付記１３に記載の光分岐挿入方法において、
前記第２検出結果が前記ブランチ側光信号の障害発生を示していない場合に、前記トランク側光信号のうちの特定の第１波長の信号のみを透過させ、
前記第２検出結果が前記ブランチ側光信号の障害発生を示している場合に、前記トランク側光信号のうちの特定の第２波長の信号を、前記第１波長の信号と共に透過させる
ことを特徴とする光分岐挿入方法。
（付記１５）
付記１３に記載の光分岐挿入方法において、
前記第１検出結果が前記トランク側光信号の障害発生を示していない場合に、前記挿入信号のうちの前記第２波長の信号のみを透過させ、
前記第１検出結果が前記トランク側光信号の障害発生を示している場合に、前記挿入信号のうちの前記第１波長の信号を、前記第２波長の信号と共に透過させる
ことを特徴とする光分岐挿入方法。
（付記１６）
トランク側から入力されたトランク側光信号の障害を検出し第１検出結果として出力すると共に、前記トランク側光信号をトランク側とブランチ側とに分岐して送信するトランク側検出分岐機能と、
ブランチ側から挿入されたブランチ側光信号の障害を検出し第２検出結果として出力すると共に、前記ブランチ側光信号を挿入信号として送信するブランチ側検出機能と、
前記第１検出結果に基づいて透過度合が調整された前記挿入信号を第１調整信号として出力する挿入信号調整機能と、
前記第２検出結果に基づいて透過度合が調整された前記トランク側光信号を第２調整信号として出力するトランク信号調整機能と、
前記第１調整信号と前記第２調整信号とを合波した光信号をトランク側出力光信号として外部に出力する合波出力機能と
をコンピュータに実現させるための光分岐挿入プログラムを記憶する記憶媒体。
（付記１７）
付記１６に記載の記憶媒体において、
光分岐挿入プログラムは、
前記第２検出結果が前記ブランチ側光信号の障害発生を示していない場合に、前記トランク側光信号のうちの特定の第１波長の信号のみを透過させるように調整する機能と、
前記第２検出結果が前記ブランチ側力光信号の障害発生を示している場合に、前記トランク側光信号のうちの特定の第２波長の信号を、前記第１波長の信号と共に透過させるように調整する複数信号透過機能と
をコンピュータに実現させる。
（付記１８）
付記１６に記載の記憶媒体において、
光分岐挿入プログラムは、
前記第１検出結果が前記トランク側光信号の障害発生を示していな場合に、前記挿入信号のうちの前記第２波長の信号のみを透過させる第２信号挿入機能、
前記第１検出結果が前記トランク側光信号の障害発生を示している場合に、前記挿入信号のうちの前記第１波長の信号を、前記第２波長の信号と共に透過させる複数信号挿入機能と
をコンピュータに実現させる。
【０１５３】
以上、実施形態を参照して本願発明を説明したが、本願発明は上記実施形態に限定されるものではない。本願発明の構成や詳細には、本願発明のスコープ内で当業者が理解し得る様々な変更をすることができる。
【０１５４】
この出願は、２０１３年１月２３日に出願された日本出願特願２０１３−００９８３１号を基礎とする優先権を主張し、その開示の全てをここに取り込む。
【産業上の利用可能性】
【０１５５】
本発明にかかる光分岐挿入装置は、国際通信等において非常に高い信頼性が要求される海底ケーブルシステムなどに適用可能である。
【符号の説明】
【０１５６】
２１、２２    トランク側検出分岐手段
２１Ａ、２１Ｂ    光カプラ
２１Ｃ、２２Ｃ    光入力断検出回路
３１、３２    ブランチ側検出手段
３１Ａ    光カプラ
３１Ｂ、３２Ｂ    光入力断検出回路
４１、４２    挿入信号調整手段
４１Ａ、４１Ｃ    光フィルタ
４１Ｂ    光スイッチ
４１Ｄ    光スイッチ制御回路
４２Ｂ    ＡＴＴ（光減衰器）
４２Ｄ    光ＡＴＴ制御回路
５１、５２    トランク信号調整手段
５１Ａ、５１Ｃ    光フィルタ
５１Ｂ    光スイッチ
５１Ｄ    光スイッチ制御回路
５２Ｂ    ＡＴＴ（光減衰器）
５２Ｄ    光ＡＴＴ制御回路
６１、６２    合波出力手段
６１Ａ、６２Ａ    光カプラ
６２Ｂ    光出力パワーモニタ
７１、７２、Ｇ    光分岐挿入装置
【図１】
2014115517.tif 000003
【図２】
2014115517.tif 000004
【図３】
2014115517.tif 000005
【図４】
2014115517.tif 000006
【図５】
2014115517.tif 000007
【図６】
2014115517.tif 000008
【図７】
2014115517.tif 000009
【図８】
2014115517.tif 000010
【図９】
2014115517.tif 000011
【図１０】
2014115517.tif 000012
【手続補正書】
【提出日】平成27年7月8日(2015.7.8)
【手続補正２】
【補正対象書類名】特許請求の範囲
【補正対象項目名】請求項１０
【補正方法】変更
【補正の内容】
【請求項１０】
トランク側から入力されたトランク側光信号の障害を検出し第１検出結果として出力すると共に、前記トランク側光信号をトランク側とブランチ側とに分岐して送信するトランク側検出分岐機能と、
ブランチ側から挿入されたブランチ側光信号の障害を検出し第２検出結果として出力すると共に、前記ブランチ側光信号を挿入信号として送信するブランチ側検出機能と、
前記第１検出結果に基づいて透過度合が調整された前記挿入信号を第１調整信号として出力する挿入信号調整機能と、
前記第２検出結果に基づいて透過度合が調整された前記トランク側光信号を第２調整信号として出力するトランク信号調整機能と、
前記第１調整信号と前記第２調整信号とを合波した光信号をトランク側出力光信号として外部に出力する合波出力機能と
をコンピュータに実現させるための光分岐挿入プログラム。
【国際調査報告】
2014115517.tif 000013
2014115517.tif 000014